(57)【特許請求の範囲】
【請求項１】
飲食物が載置された飲食物容器を飲食客に提供可能に搬送する無端状の循環型搬送路が複数の所定領域に区分けされており、各所定領域を囲むように複数の客席が配置された飲食店において、前記各所定領域に配置された全ての客席が空き状態となるまでの空き時間を各所定領域毎に表示するための客席領域の空き時間表示システムであって、
前記所定領域中に設けられた各客席の飲食客の種別に関する情報を入力するための入力手段と、
少なくとも時間情報を出力可能な時計手段と、
その客席が在席となった時点からの経過時間を、前記時計手段からの時間情報に基づいて算出するとともに、予め定められた所定滞席時間から前記算出した経過時間を減算して各客席の残滞席時間を算出する残滞席時間算出手段と、
同一の所定領域中に属する全客席において、前記残滞席時間算出手段にて算出された残滞席時間を比較し、最も大きな残滞席時間を該所定領域の空き時間として選出する空き時間決定手段と、
該空き時間決定手段にて決定された各所定領域の空き時間を表示する表示手段と、
を具備することを特徴とする客席領域の空き時間表示システム。
【請求項２】
前記表示手段には、最も短い空き時間の所定領域を特定可能に表示する請求項１に記載の客席領域の空き時間表示システム。
【請求項３】
前記所定領域の内、優先的に閉鎖をしたい所定領域を受付けるための設定手段を有し、前記空き時間決定手段は、該設定手段にて受付けた優先的に閉鎖をしたい所定領域の空き時間に対して予め定められた所定時間を減算して該所定領域の空き時間とするか、或いは前記優先的に閉鎖をしたい所定領域以外の所定領域の空き時間に対して予め定められた所定時間を加算して該所定領域の空き時間とする請求項１または２に記載の客席領域の空き時間表示システム。
【請求項４】
前記入力手段にて入力される各飲食客の種別毎に異なる所定滞席時間が登録された記憶手段を有し、前記残滞席時間算出手段は、前記予め定められた所定滞席時間としてその客席に在席している飲食客が該当する種別の前記記憶手段に記憶されている所定滞席時間を用いて前記残滞席時間を算出する請求項１〜３のいずれかに記載の客席領域の空き時間表示システム。
【請求項５】
前記入力手段は、飲食客が着席した客席と、該飲食客の種別に関する情報とを非接触状態にて送信可能な送信手段を具備する入力端末と、該入力端末からの送信を受信可能な受信手段とで構成されている請求項１〜４のいずれかに記載の客席領域の空き時間表示システム。
【請求項６】
前記入力端末は、客席のレイアウトが表示された表示装置上にて入力が可能なタッチパネルを有する請求項５のいずれかに記載の客席領域の空き時間表示システム。
【請求項７】
前記循環型搬送路は、前記各所定領域への飲食物の供給の実施／非実施を行うための飲食物供給制御手段を備える請求項１〜６のいずれかに記載の客席領域の空き時間表示システム。
【発明の詳細な説明】
【０００１】
【発明の属する技術分野】
本発明は、飲食物が載置された飲食物容器を飲食客に提供可能に搬送する無端状の循環型搬送路に沿って複数の客席が配置された飲食店において、前記循環型搬送路上の所定領域中に配置された全ての客席が空き状態となるまでの時間を表示するための客席領域の空き時間表示システムに関する。
【０００２】
【従来の技術】
近年、食文化の多様化に伴い、飲食店にて出向いて飲食を行う外食人口が非常に多くなってきており、とりわけ、無端状に形成されている飲食物搬送用の循環型搬送路を、カウンタ等の飲食台に沿って設け、この搬送路に、例えば寿司等の飲食物を盛り付けた皿等の容器を載置して搬送する回転寿司店舗は、飲食客や調理人が移動することなく飲食或いは調理することができ、更に飲食客は席にいながらにして自分の所望する商品を選びながら飲食できることから、多くの人が利用するようになってきている。
【０００３】
【発明が解決しようとする課題】
これら飲食店舗、特には前記回転寿司店舗にあっては、より多くの飲食客に一度に多種多様な寿司を提供するために、近年においては、循環搬型送路の搬送路長が長くなる傾向にあるが、これら搬送路長が長くなると、飲食客が多い時間帯であれば良いが、飲食客が少ない時間帯においては、搬送路長が長いと飲食物が飲食客に提供されるまでの時間が長くなり、寿司ネタ等が乾燥して食味が低下する等の問題があることから、これら搬送路の所定領域への飲食物の供給を抑止して、搬送路長を擬似的に短くする等の工夫がなされるようになっているが、これら飲食物の供給を停止する場合に、どの所定領域の全客席が空席となって飲食物の供給を停止することができるようになるかが判断し難く、新たな飲食客をどの所定領域へ誘導すべきか等が不明となり、これら所定領域への飲食物の供給停止を効率良く実施できないという問題があった。
【０００４】
よって、本発明は上記した問題点に着目してなされたもので、前記したように、どの所定領域の全客席が空席となって飲食物の供給を停止することができるようになるかを容易に判断することのできる客席領域の空き時間表示システムを提供することを目的としている。
【０００５】
【課題を解決するための手段】
上記の問題を解決するために、本発明の客席領域の空き時間表示システムは、飲食物が載置された飲食物容器を飲食客に提供可能に搬送する無端状の循環型搬送路が複数の所定領域に区分けされており、各所定領域を囲むように複数の客席が配置された飲食店において、前記各所定領域に配置された全ての客席が空き状態となるまでの空き時間を各所定領域毎に表示するための客席領域の空き時間表示システムであって、
前記所定領域中に設けられた各客席の飲食客の種別に関する情報を入力するための入力手段と、
少なくとも時間情報を出力可能な時計手段と、
その客席が在席となった時点からの経過時間を、前記時計手段からの時間情報に基づいて算出するとともに、予め定められた所定滞席時間から前記算出した経過時間を減算して各客席の残滞席時間を算出する残滞席時間算出手段と、
同一の所定領域中に属する全客席において、前記残滞席時間算出手段にて算出された残滞席時間を比較し、最も大きな残滞席時間を該所定領域の空き時間として選出する空き時間決定手段と、
該空き時間決定手段にて決定された各所定領域の空き時間を表示する表示手段と、
を具備することを特徴としている。
この特徴によれば、前記表示手段に各所定領域に属する全ての客席が空席となるまでのおおよその時間が表示されるようになるため、どの所定領域が一番早くに全客席が空席となって飲食物の供給を停止することができるようになるかを容易に判断できるようになる。
【０００６】
本発明の客席領域の空き時間表示システムは、前記表示手段には、最も短い空き時間の所定領域を特定可能に表示することが好ましい。
このようにすれば、最も短い空き時間の所定領域を迅速に把握することができる。
【０００７】
本発明の客席領域の空き時間表示システムは、前記所定領域の内、優先的に閉鎖をしたい所定領域を受付けるための設定手段を有し、前記空き時間決定手段は、該設定手段にて受付けた優先的に閉鎖をしたい所定領域の空き時間に対して予め定められた所定時間を減算して該所定領域の空き時間とするか、或いは前記優先的に閉鎖をしたい所定領域以外の所定領域の空き時間に対して予め定められた所定時間を加算して該所定領域の空き時間とすることが好ましい。
このようにすれば、飲食店舗にて優先的に閉鎖をしたい所定領域の空き時間がその他の所定領域に対して相対的に短い時間となるため、該所定領域が優先的に閉鎖されるようになる。
【０００８】
本発明の客席領域の空き時間表示システムは、前記入力手段にて入力される各飲食客の種別毎に異なる所定滞席時間が登録された記憶手段を有し、前記残滞席時間算出手段は、前記予め定められた所定滞席時間としてその客席に在席している飲食客が該当する種別の前記記憶手段に記憶されている所定滞席時間を用いて前記残滞席時間を算出することが好ましい。
このようにすれば、飲食客の種別、例えば性別や子供等の種別の違いによって前記所定滞席時間を個別に設定することが可能となり、前記残滞席時間を実際のものにより近いものとすることができ、結果的に表示される空き時間の正確性を向上することができる。
【０００９】
本発明の客席領域の空き時間表示システムは、前記入力手段は、飲食客が着席した客席と、該飲食客の種別に関する情報とを非接触状態にて送信可能な送信手段を具備する入力端末と、該入力端末からの送信を受信可能な受信手段とで構成されていることが好ましい。
このようにすれば、飲食客を客席に案内する店員等が、前記入力端末を携行して客席にて前記入力を実施することができ、入力間違い等を大幅に低減できる。
【００１０】
本発明の客席領域の空き時間表示システムは、前記入力端末は、客席のレイアウトが表示された表示装置上にて入力が可能なタッチパネルを有することが好ましい。
このようにすれば、入力端末の操作者は、タッチパネル上において客席のレイアウト表示を確認しながら入力操作を実施できるようになり、これら入力操作の操作性を大幅に向上できる。
【００１１】
本発明の客席領域の空き時間表示システムは、前記循環型搬送路は、前記各所定領域への飲食物の供給の実施／非実施を行うための飲食物供給制御手段を備えることが好ましい。
このようにすれば、前記各所定領域への飲食物の供給の実施／非実施を任意に行うことができる。
【００１２】
【発明の実施の形態】
以下、本発明の実施例を図面に基づいて説明する。
（実施例）
図１は、本実施例の客席領域の空き時間表示システムを備えた飲食店である回転寿司店の店内状況を簡略化して示す図であり、図２は、本実施例の空き時間表示システムに用いた入力端末を示す外観斜視図であり、図３は、本実施例の空き時間表示システムに用いた入力端末の構成を示すブロック図であり、図４は、本実施例の空き時間表示システムに用いた客席管理コンピュータの構成を示すブロック図である。
【００１３】
まず、本実施例の客席領域の空き時間表示システムが設置された飲食店は、図１に示すように、上面視櫛歯状に複数の島部が形成された無端状の循環型搬送路２を囲むように飲食カウンタ１並びに客席４が設けられており、飲食物である各種の寿司を飲食物容器である寿司皿３に載置して前記循環型搬送路２上に投入することで、各種の寿司が該循環型搬送路２上を搬送されて飲食客に提供される回転寿司店とされている。
【００１４】
前記櫛歯状に突出した各島部は、それぞれが本発明における所定領域として分けられており、本実施例では、店の入り口に近い方から領域Ａ〜領域Ｄまでの４つの領域分けが為されている。
【００１５】
循環型搬送路２は、寿司が厨房から搬送路上に載置されるとまず、領域Ａに入り、領域Ａの根本部分から領域Ａの先端部まで搬送された後に、折り返して再び領域Ａの根本部分まで戻り、次いで領域Ｂへ搬送されるようになっており、最終的に領域Ｄまで搬送された後に客に飲食されなかった場合には再び厨房へ戻るようになっている。
【００１６】
循環型搬送路２の領域Ａと領域Ｂとの中間部には後述するバイパス路７０ａが、また領域Ｃと領域Ｄとの中間部には同じくバイパス路７０ｆが、図１５に示すように、搬送方向が反対方向となる循環型搬送路２、２同士の隣接部において、該隣接する循環型搬送路２、２間に跨るように、循環型搬送路２の進行方向に向けて設けられているとともに、領域Ｂと領域Ｃの根本部分となる厨房方向側の位置には前記バイパス路７０ａ、７０ｆと同様に、それぞれバイパス路７０ｂ、７０ｅが設けられている。
【００１７】
また、領域Ｂと領域Ｃとの中間部にはバイパス路７０ｃ、７０ｄと２つのバイパス路が設けられており、これら循環型搬送路２に設けられている各バイパス路７０ａ〜７０ｆを有することにより、本実施例の循環型搬送路２は、前記各領域単位で飲食物である寿司の供給／非供給を制御出来るようになっている。
【００１８】
次いで、本実施例に用いた前記バイパス路７０ａ〜７０ｆについて、図１５、図１６を用いて説明すると、前記循環型搬送路２は、一方向に向かって搬送が行われる部分と、それとは逆方向に向かって搬送されている循環型搬送路２が並行して配設されている。
【００１９】
バイパス路７０ａ〜７０ｆは、前記循環型搬送路２、２の間に跨るようにして設けられており、その端部には、進路変更部材７２が設けられている。
【００２０】
この進路変更部材７２は、少なくとも循環型搬送路２、２もしくはバイパス路７０ａ〜７０ｆ上を移動する寿司皿３を進行方向に摺接案内するようハの字状に配置された一対のガイド部材７３ａ、７３ｂが、循環型搬送路２、２を横切るように、バイパス路７０ａ〜７０ｆの搬送方向片側に配置されている。
【００２１】
更に詳しくは、図１６（ｂ）に示されるように、バイパス路７０ａ〜７０ｆは、両循環型搬送路２、２の基台Ｂ間に跨って支持されて断面コ字形の保持枠７４内に設けられた両内枠Ｆ１、Ｆ２の上面に複数のローラＲが回転可能に支持され、これら複数のローラＲはモータＭにより駆動される歯車群Ｇを介して駆動されるように構成されている。
【００２２】
一対のガイド部材７３ａ、７３ｂを有する進路変更部材７２は、ユニット構成となっており、本実施形態ではバイパス路７０ａ〜７０ｆの搬送方向の左側位置に着脱可能に取り付けられている。
【００２３】
そして、これらガイド部材７３ａ、７３ｂの一端が、循環型搬送路２、２を横切る位置と該循環型搬送路２、２と並行な位置との範囲で水平方向に回動自在に枢支されている。
【００２４】
さらにガイド部材７３ａ、７３ｂは、一端が例えば板金で構成された進路変更ユニット枠７５の両側に枢軸７６ａ、７６ｂを介して回動自在に枢支され、両ガイド部材７３ａ、７３ｂ間には飲食物の載置台を進行方向に摺接案内する案内部７５ａが形成されている。
【００２５】
この進路変更ユニット枠７５は、ガイド部材７３ａ、７３ｂが枢支される側と反対側の内部には水平なリブ７５ｂが設けられ、この水平なリブ７５ｂにバイパス路７０ａ〜７０ｆの保持枠７４の一側端部に立設した２本の保持軸７７を挿通し、その上端にネジ７８を螺着して着脱可能に取り付けられている。
【００２６】
この進路変更ユニット枠７５は、バイパス路７０ａ〜７０ｆの保持枠７４の一側端部より立設し、ガイド部材７３ａ、７３ｂの案内部７５ａと反対側側壁より内側に張出した水平リブ７５ｂを貫通して上方に突出した２本の保持軸７７上端にネジ７８を介して着脱可能に取り付けられている。
【００２７】
前記ガイド部材７３ａ、７３ｂの対面側には案内枠７９が着脱可能に取付られ、この案内枠７９は、板金で円弧状に形成された案内部８０ａが形成されたフレーム８０で構成され、案内部８０ａと反対側側壁より内側に張出した水平リブ８０ｂを貫通して上方に突出した２本の保持軸７７上端にネジ７８を介して着脱可能に取り付けられている。
【００２８】
また、バイパス路７０ａ〜７０ｆは、図示しない循環型搬送路２内に設けられている電源装置に接続されており、これによりバイパス路７０ａ〜７０ｆに設けられている前記ローラＲを回動させるモータＭが、前記ガイド部材７３ａ、７３ｂを開放することで、該開放が図示しない開放スイッチにより検出されて自動的に駆動されるようになっている。
【００２９】
ここで、これら本実施例のバイパス路７０ａ〜７０ｆの前記ガイド部材７３ａ、７３ｂが回動された場合の循環型搬送路２における寿司の搬送状況について説明すると、まず、バイパス路７０ａが単独にて操作されると、領域Ａ以外の各領域、すなわち領域Ｂ、領域Ｃ、領域Ｄへ寿司の搬送されるようになり、また、バイパス路７０ｂが単独にて操作されると領域Ｂ以外の各領域、すなわち領域Ａ、領域Ｃ、領域Ｄへ寿司が搬送されるようになる。
【００３０】
また、これらバイパス路７０ａとバイパス路７０ｂと同様に、バイパス路７０ｅが単独にて操作されると、領域Ｃ以外の領域、すなわち領域Ａ、領域Ｂ、領域Ｄへ寿司が搬送されるようになり、バイパス路７０ｆが単独にて操作されると、領域Ｄ以外の領域、すなわち領域Ａ、領域Ｂ、領域Ｃへ寿司が搬送されるようになり、これらバイパス路７０ａ、７０ｂ、７０ｅ、７０ｆが単独で操作されることで、前記領域Ａ〜領域Ｄの１領域のみへの寿司の搬送を停止することができるようになっている。
【００３１】
また、前記バイパス路７０ｃを単独にて操作すると搬送路を２つに分断し、領域Ｃ、領域Ｄ以外の領域、すなわち領域Ａ、領域Ｂに寿司を搬送できるようになり、同様に、バイパス路７０ｄを単独にて操作することで搬送路を２つに分断し、領域Ａ、領域Ｂ以外の領域、すなわち領域Ｃ、領域Ｄに寿司を搬送できるようになる。
【００３２】
また、本実施例の各バイパス路７０ａ〜７０ｆは、個々に独立して動作可能とされており、これら各バイパス路７０ａ〜７０ｆを組み合わせて動作されることで、種々の搬送形態を実施できるようになっている。具体的に各領域Ａ〜Ｄの搬送状況の組み合わせについて説明すると、バイパス路７０ｂとバイパス路７０ｃとを操作することで前記領域Ａにのみ寿司を搬送できるようになり、また、バイパス路７０ａとバイパス路７０ｃとを操作することで前記領域Ｂにのみ寿司を搬送できるようになり、同様にバイパス路７０ｄとバイパス路７０ｆとを操作することで領域Ｃにのみ、バイパス路７０ｄとバイパス路７０ｆを操作することで領域Ｄにのみ寿司を搬送することができる。
【００３３】
また、領域Ａと領域Ｂの両方に搬送を行いたい場合には、前記したようにバイパス路７０ｃのみを操作することで搬送を行うことができ、領域Ｂと領域Ｃの両方に寿司を搬送したい場合には、バイパス路７０ａ、７０ｆを操作することで搬送を行うことができ、領域Ｃと領域Ｄの両方に搬送を行いたい場合には、前記したようにバイパス路７０ｄのみを操作することで搬送を行うことができ、また領域Ａと領域Ｃの両方に搬送を行いたい場合には、バイパス路７０ｂ、７０ｆを操作することで搬送を行うことができ、また領域Ａと領域Ｄの両方に搬送を行いたい場合には、バイパス路７０ｂ、７０ｅを操作することで搬送を行うことができ、また領域Ｂと領域Ｄの両方に搬送を行いたい場合には、バイパス路７０ａ、７０ｅを操作することで搬送を行うことができる。
【００３４】
尚、図１では、バイパス路７０ｂのガイド部材７３ｂが、循環型搬送路２を横切るように回動されているため、領域Ｂが閉鎖され、領域Ｂ以外の領域に搬送が行なわれる状態を例示している。
【００３５】
このように、飲食物供給制御手段としてのバイパス路７０ａ〜７０ｆが循環型搬送路２に備えられることで、搬送を行いたくない領域が発生した場合や、特定の領域に搬送を行いたい場合、すなわち、後述する領域Ａ〜Ｄの閉鎖指示後に、閉鎖指示された領域の客が全員退席した後、前記ガイド部材７３ａ、７３ｂが循環型搬送路２、２を横切るように操作することで、ガイド部材７３ａ、７３ｂに搬送されてきた寿司皿３が当接して、本来の搬送方向に寿司皿３の搬送を行わずに、搬送方向を変向して、前記所定領域への寿司の供給の実施／非実施を任意に行うことができることから好ましいが、本発明はこれに限定されるものではなく、前記バイパス路７０ａ〜７０ｆとは異なる構成により飲食物供給制御手段を形成しても良い。
【００３６】
次いで、この回転寿司店舗の入り口近傍の所定位置には、図１に示すように、本実施例の待ち時間表示システムを構成する客席管理コンピュータ６が設置されていて、客席係等の店員が該客席管理コンピュータ６のディスプレイ７の表示内容を目視確認できるようになっており、本実施例の空き時間表示システムは、この客席管理コンピュータ６と、図２に示すような、前記客席係等の店員等が可搬可能とされた入力端末２０とから主に構成されている。
【００３７】
まず、本実施例の空き時間表示システムの入力手段を構成する入力端末２０について説明すると、該入力端末２０の外観は図２に示すように、その前面には液晶ディスプレイ（ＬＣＤ）パネル２１にて形成された比較的大型の表示画面が設けられているとともに、該ＬＣＤパネル２１の表面には、入力ペン３２等にて触れることにより、その入力位置の座標情報を出力可能な透明タッチパネル２３が設けられていて、前記入力ペン３２を用いて前記表示画面上にて入力操作を簡便に実施できるようになっている。また、図２中の２５は、入力端末２０の起動／停止を入力するためのメインスイッチであり、３１は、内蔵されている無線通信モジュール３０に接続されているアンテナである。
【００３８】
本実施例の入力端末２０の構成は、主に図３に示すように、前述のＬＣＤパネル２１並びに該ＬＣＤパネル２１の表示制御を行うＬＣＤドライバ２２や、前記透明タッチパネル２３並びに該透明タッチパネル２３の入力位置を検出して座標データとして出力するタッチパネルドライバ２４や、前記メインスイッチ２５と内蔵する電池２７に接続されて各部の動作に必要な電力を供給する給電回路部２６や、前記アンテナ３１に接続されて前記客席管理コンピュータ６に接続されている無線ＬＡＮターミナル１９との双方向無線データ通信を行う送信手段としての無線通信モジュール３０と、後述する制御マイコン（ＭＰＵ）２９の制御プログラムや各種表示画面データ並びに入力されたデータ等が登録される記憶部２８と、これら各部に図３に示すように接続されて各部の制御を行う制御マイコン（ＭＰＵ）２９と、を有しており、図２に示すように前記ＬＣＤパネル２１に表示される客席レイアウト上の客席番号と入力メニューとを操作者が前記入力ペン３２にて適宜選択操作することにより客席４の在席状況の入力が可能とされ、その入力情報が前記無線ＬＡＮターミナル１９を通じて前記客席管理コンピュータ６に送信されるようになっている。
【００３９】
このように本実施例では、客席管理コンピュータ６に対しての在席状況の入力を、非接触にてデータ通信可能とされた入力手段としての入力端末２０にて実施できるようになっており、飲食客を客席４に案内する店員等が、これら入力端末２０を携行し、案内した客席４の近傍にて当該客席４の在席状況の入力を実施することができるため、客席番号の入力ミス等を大幅に低減できることから好ましいが、本発明はこれに限定されるものではない。
【００４０】
次いで、前記客席管理コンピュータ６の構成は、図４に示すようになっており、コンピュータ内部にてデータの送受を行うデータバス１０に、待ち時間や残滞席時間並びに前記各領域Ａ〜Ｄの空き時間等の算出や該算出した待ち時間や残滞席時間並びに領域空き時間に基づく表示画面の生成処理等を実施する空き時間決定手段並びに残滞席時間算出手段としての中央演算処理装置（ＣＰＵ）１１と、ＲＡＭ１２と、現在の時刻情報や任意の年月日の曜日等のカレンダ情報を出力可能な時計手段としてのリアルタイムクロック（ＲＴＣ）１７と、キーボード９（入力手段）やマウス（入力手段）等の入力装置が接続可能な入力インターフェイス（ＩＦ）１６と、表示手段としてのディスプレイ７等の表示装置が接続され、表示データが出力される表示インターフェイス（ＩＦ）１４と、前記入力端末２０との双方向無線データ通信を行う受信手段としての無線ＬＡＮターミナル１９に接続されてデータの送受信を行う通信インターフェイス１３と、磁気ディスクや光磁気ディスクから成り、前記中央演算処理装置（ＣＰＵ）１１が実施する待ち時間や残滞席時間並びに領域空き時間の算出処理や表示画面の生成処理等の各処理内容が記述された処理プログラムや、各客席４の在席状況や未着席客の情報等が登録されている在席状況データベース（ＤＢ）等が記憶されている記憶装置１５と、が接続された通常のコンピュータとされている。
【００４１】
前記各客席４には、図５（ａ）に示すように、個々の客席４に対して連続する客席番号が予め設定されており、領域Ａには客席番号１〜２０、領域Ｂには客席番号２１〜４０、領域Ｃには客席番号４１〜６０、領域Ｄには客席番号６１〜８０の客席番号が割り当てられている。前記記憶装置１５に記憶された在席状況ＤＢには、図５（ｂ）に示すように、これら各客席番号に対応して、当該客席４に在席する飲食客の着席時刻と、該着席時刻から現在時刻までの経過時間と、飲食客が属するグループのグループＩＤ（同一グループにおける先頭客席番号及び最終客席番号）と、飲食客の客種（１；成人男性、２；成人女性、３；小人、４；幼児）と、該客種に基づく予想滞席時間（客種１；３０分、客種２；４０分、客種３；５０分、客種４；５０分）と、該予想滞席時間から前記経過時間を減算した残滞席時間と、同一のグループＩＤが登録された客席番号に対応する残滞席時間の中で最も長い残滞席時間が登録されるグループ別残滞席時間と、前記各領域Ａ〜Ｄ毎で最も長い残滞席時間が登録される領域別残滞席時間と、が登録される在席状況テーブルと、後述する待ち時間表示画面４０における未着席客の登録に基づき生成される整理番号に対応して、未着席客のグループの人数と、未着席客の代表者名と、前記在席状況テーブルに登録されているグループ別残滞席時間及び領域別残滞席時間に基づき算出された待ち時間と、未着席客の着席が予定される客席番号の組み合わせである予定客席と、が登録される未着席客テーブルと、が設けられており、前記在席状況テーブルの各登録情報は前記入力端末２０から出力される入力情報並びに前記ＲＴＣ１７より出力される時間情報に基づき最新の情報に更新されるようになっているとともに、前記未着席テーブルの各登録情報は後述の待ち時間表示画面４０における入力操作やＲＴＣ１７より出力される時間情報に基づき最新の情報に更新されるようになっている。
【００４２】
以下本実施例の空き時間表示システムの動作状況を図６〜図１４に基づき説明説明する。
【００４３】
まず、前記客席管理コンピュータ６での空き時間の表示要領について説明すると、図６は前記客席管理コンピュータ６のディスプレイ７に表示された空き時間表示画面４０を示す図であり、該空き時間表示画面４０には、各客席４のレイアウトに対応して客席番号が表示され、これら客席番号に在席している飲食客のグループ別に前記在席状況テーブルに登録された当該グループのグループ別残滞席時間と、前記領域別での残滞席時間、すなわち領域別の空き時間と、が表示される客席状況表示ウィンドウ４１と、が設けられており、該客席状況表示ウィンドウ４１内には営業時間帯や現在入店している客数などにより特定の領域に客を誘導せずに、その特定の領域を閉鎖したい時に設定操作される領域閉鎖ボタン５１ａ〜５１ｄが設けられている。
【００４４】
前記客席状況表示ウィンドウ４１に示す各グループ別の残滞席時間はグループ中で最も前記予想滞席時間が長い客の残滞席時間から、現時刻までの時間を差し引いた時間が表示されており、領域別の残滞席時間は表示されている各グループの残滞席時間の中で最も残滞席時間が長いグループの残滞席時間を抽出して表示されるようになっている。
【００４５】
本実施例では前記客席状況表示ウィンドウ４１に表示されている前記領域別残滞席時間のうち、最も残滞席時間が少ない領域の残滞席時間表示、ここでは領域Ａの残滞席時間表示を二重線で囲み、その下には、現時点での残滞席時間が最も短い領域はどの領域か（ここでは領域Ａ）を容易に認識できるように識別表示するようになっている。
【００４６】
このように、領域別の残滞席時間を表示し、かつ、残滞席時間が最短となっている領域を識別可能に表示することで、領域全体が空席となるまでの時間が最も短い領域を店員が迅速に把握することが出来ることから好ましいが、本発明はこれに限定されるものではない。
【００４７】
また、本実施例では、営業時間帯やこれから来店するであろう客数に基づいて領域を閉鎖する際に、予め優先的に閉鎖をしたい領域を設定できるようになっており、開店時または開店前に前記客席管理コンピュータ６の電源投入時に、前記領域閉鎖ボタン５１ａを一度操作することで、その日における優先的に閉鎖を行う領域を設定できるようになっている。本実施例では、店舗の入り口に近い領域Ａを優先的に閉鎖するように設定されている。
【００４８】
また、本実施例では優先的に閉鎖を行う領域の残滞席時間表示においては、実際の残滞席時間より、更に所定時間を減算して表示する（ここでは、領域Ａの実際の残滞席時間は２６分であるが、それより３分減算して２３分と表示）ようになっており、このようにすることで、優先的に閉鎖を行う領域が更に際立って表示され、店員が閉鎖操作を行いたい領域を優先的に閉鎖することができるようになることから好ましいが本発明はこれに限定されるものではない。
【００４９】
また本実施例では、優先的に閉鎖を行う領域の残滞席時間表示を実際の残滞席時間より減算して表示するようになっているが、逆に優先的に閉鎖を行う領域以外領域の残滞席時間表示を実際の残滞席時間に所定時間加算して表示するようにしてもよく、このようにしても、優先的に閉鎖を行う領域の残滞席時間表示において、実際の残滞席時間より更に所定時間を減算して表示したときと同等の効果を得ることができる。
【００５０】
また、現時点での空き時間が最も短い領域を前記客席状況表示ウィンドウ４１に示すことで、現時点での客数や営業時間帯、またこれから入店が予想される人数等に基づいて、来店してきた客を効率的に客席へ誘導し、特定の領域の全席から客が退席したところで該特定の領域を閉鎖することで、稼働している循環型搬送路２を来店している客数に応じて縮小又することができ、循環型搬送路２に搬送されている寿司の鮮度を下げることなく客に提供することができ、また、管理を行う領域が減少するため店員の負担も軽減できるようになる。
【００５１】
また本実施例では、空き時間表示画面４０の客席状況表示ウィンドウ４１に、各客席４のレイアウトに対応して客席番号が表示され、これら客席番号に在席している飲食客をグループ別、領域別に識別できるようになっているとともに、前記在席状況テーブルに登録された当該グループのグループ別残滞席時間と、領域別の残滞席時間と、が対応して表示されているため、その時点にて在席している飲食グループの在席状況を把握することができ、所定の領域に属する全ての客席が空席となるまでのおおよその時間が表示されるようになるため、どの領域が一番早くに全客席が空席となって飲食物の搬送を停止できるようになるかを容易に判断できるようになる。
【００５２】
なお、本実施例では、優先的に閉鎖を行う領域を設定できるようになっているが、全領域に対して閉鎖優先順位を付けるようにしても良く、例えば領域Ａを１番目に閉鎖し、領域Ｂを２番目に閉鎖する…というように設定できるようになっていても良い。
【００５３】
次いで本実施例では、優先的に閉鎖を行う領域が領域Ａに設定されており、図６に示すように領域Ａの空き時間が２６分（表示は２３分）と、Ａ〜Ｄの領域のうち最も短くなったため、そこで、図８（ａ）に示すように領域Ａを閉鎖するために前記領域閉鎖ボタン５１ａが入力されて、その後に新たに客が来店した場合の未着席客のグループの登録要領について説明していく。
【００５４】
前記空き時間表示画面４０内には、客席状況表示ウィンドウ４１とともに、未着席客のグループの人数を入力するための人数入力部４２と、該人数入力部４２にて入力された人数に基づく待ち時間の算出を実施するための待ち時間算出ボタン４３と、算出された待ち時間が表示される待ち時間表示部４４と、最も早い待ち時間に該当する客席番号の組み合わせが表示される予定客席表示部４５と、未着席客の代表者名を入力するための客名入力部４６と、入力された未着席客の代表者名や算出された待ち時間を前記未着席客テーブルに登録するための登録ボタン４７と、前記未着席客テーブルの登録状況、すなわち現在未着席の飲食客の状況が表示される未着席客表示ウィンドウ４８と、待ち時間並びに予定客席の組み合わせを再計算し、未着席客表示ウィンドウ４８の表示内容を最新の表示内容に更新するための更新ボタン４９と、前記未着席客表示ウィンドウ４８にて選択された整理番号の登録を削除するための削除ボタン５０と、が設けられており、前記未着席客表示ウィンドウ４８の表示内容は、前記未着席客テーブルの登録内容が更新されるか更新ボタン４９が入力される毎に表示更新されるようになっている。
【００５５】
ここで、前記空き時間表示画面４０においてグループ別の待ち時間を算出するには、図７（ａ）に示すように、人数入力部４２に未着席客のグループの人数、例えば未着席客のグループが３人であれば「３」を入力し、待ち時間算出ボタン４３を入力する。
【００５６】
これに基づきＣＰＵ１１は、図８（ａ）並びに図９（ａ）に示すように、隣接する３つの客席４における客席番号の組み合わせ（１〜３、２〜４・・・７７〜７９、７８〜８０）を前記在席状況テーブルより抽出する。これら抽出した組み合わせに対応させて、該当する組み合わせを構成する客席番号に対応するグループ別残滞席時間のうち、最も長い時間をその組み合わせの組み合わせ別残滞席時間として登録する。例えば、１〜３の組み合わせであれば、客席番号１のグループ別残滞席時間が２３分で客席番号２〜４のグループ別残滞席時間が１０分なので組み合わせ別残滞席時間は２３分となる。
【００５７】
次いで、これら各組み合わせ別残滞席時間を比較し、どの領域も閉鎖されていない場合であれば、最短の組み合わせ別残滞席時間（図９（ａ）においては客席番号７〜９における５分）を選出するが、客席番号７〜９は、領域Ａに属しており、領域Ａは閉鎖の指示が為されているために、図９（ｂ）に示すように領域Ａ以外の客席から組み合わせ別残滞席時間を比較し、最短の組み合わせ別残滞席時間となっている領域Ｄに属する客席番号６８〜７０を選出して、該選出した組み合わせ別残滞席時間（７分）を待ち時間として決定するようになっており、選出した客席番号の組み合わせ（６８〜７０の組み合わせ）を予定客席の組み合わせとして決定し、図７（ｂ）に示すように、前記決定した待ち時間が待ち時間表示部４４に、予定客席の組み合わせが予定客席表示部４５に表示されるようになっている。
【００５８】
この際、客席状況表示ウィンドウ４１には、図８（ｂ）に示すように、閉鎖操作がされた領域Ａの客席部分が選択されないようになっている。
【００５９】
このように本実施例では、未着席客のグループの待ち時間とともに、その待ち時間に基づき着席が予定される予定客席の組み合わせが表示されるようになっており、店員等はこれら予定客席の組み合わせを把握することが可能となり、その後の処理を円滑に行うことができるようになることから好ましいが、本発明はこれに限定されるものではない。
【００６０】
尚、前記ＣＰＵ１１による前記客席番号の組み合わせの抽出において、未着席客テーブルの予定客席に既に予定客席の組み合わせが登録されている場合には、これら登録されている予定客席の組み合わせに含まれる客席番号を除く客席番号の組み合わせを抽出し、これら組み合わせ並びにその組み合わせ別残滞席時間から待ち時間並びに予定客席の組み合わせが選出・決定されるようになっている。
【００６１】
また、本実施例では各客席４は１列あたりの客席数が１０席となっており、列の最後の客席と最初の客席とを含んだ客席番号の組み合わせ（座席番号１０〜１２、２９〜３１等）は抽出されないようになっている。
【００６２】
また、客席番号の組み合わせについては、循環型搬送路２を挟んで向かい合わせの座席の組み合わせ（（１〜３、１１〜１３）、（６９〜７０、７９〜８０）等）等が抽出されるようになっていても良い。
【００６３】
また、前記３人の未着席客のグループを未着席客テーブルに登録する場合には、そのグループの代表者名を客名入力部４６に入力した後、登録ボタン４７を入力する。これに基づき、新たに整理番号が生成され、該生成された整理番号に対応して前記人数入力部４２に入力された人数と、待ち時間表示部４４に表示された待ち時間と、予定客席表示部４５に表示された予定客席の組み合わせと、が前記未着席客テーブルに登録されるとともに、図７（ｄ）に示すように、未着席客表示ウィンドウ４８に該登録された内容が追加表示されるようになっている。
【００６４】
次いで、前記入力端末２０における客席状況の入力要領について説明すると、図１０は、入力端末２０の表示画面上に表示された入力画面６０を示す図であり、該入力画面６０には、客席レイアウト上に各客席番号が表示された入力部と、他の入力画面（図示略）に表示切替するための表示切替ボタン６１と、客席管理コンピュータ６に対して入力情報の送信を実施する送信ボタン６２と、選択した客席番号をグループ化するためのグループ指定ボタン６３と、選択した客席番号を空席として指定するための空席ボタン６４と、前述した客種１〜４を選択するための客種選択ボタン６５ａ〜６５ｄからなる客種選択部６５と、客席番号の選択を解除するキャンセルボタン６６と、が設けられており、該入力画面６０にて入力された各客席４の在席状況の入力情報が記憶部２８に一時記憶され、送信ボタン６２が入力されることで前記一時記憶された入力情報が客席管理コンピュータ６に送信され、在席状況ＤＢの在席状況テーブルに登録された該当客席番号のデータ更新が実施されるようになっている。
【００６５】
この入力端末２０での入力状況を、客席番号２６〜３０番の客席４が空席となり、その内２７〜３０番の客席４に成人男性、成人女性、小人２人からなる飲食客のグループが着席した場合を例に説明する。
【００６６】
まず、図１１に示すように、入力ペン３２にて飲食客が着席したいずれかの客席番号を選択した後、該当する客種を客種選択部６５から選択する（図１１においては客種１（客種選択ボタン６５ａ））。この際、選択した客席番号の近傍位置に選択した客種を示す符号（客種１；男、客種２；女、客種３；小、客種４；幼）が表示され、入力した客種が判別できるようになっている。
【００６７】
同様にその他の客席番号についても客種を選択した後、図１２に示すように、入力ペン３２にてグループ化する客席番号を範囲指定して、グループ指定ボタン６３を入力する。この際、グループ化された座席番号がグループ枠に囲まれるようになっている。
【００６８】
次いで、図１３に示すように、空席となる客席番号を選択し、空席ボタン６４を入力する。この際、空席が選択された客席番号の近傍位置には、空席を示す符号（空）が表示され、空席が入力されたことを判別できるようになっている。
【００６９】
次いで、これら入力したデータに誤りがない場合には、図１４に示すように、送信ボタン６２を入力する。これに基づき入力データ（客席番号２６；空席、客席番号２７；客種２（成人女性）、客席番号２８、２９；客種３（小人）、客席番号３０；客種１（成人男性）、客席番号２７〜３０；同一グループを示すデータ）が更新要求とともに、客席管理コンピュータ６に送信される。
【００７０】
これら入力データ並びに更新要求を入力端末２０から受信した客席管理コンピュータ６においては、在席状況ＤＢの在席状況テーブルの該当する客席番号に対応する登録情報を、前記受信した入力データに基づき更新するとともに、客席状況表示ウィンドウ４１の表示更新を実施する。
【００７１】
客席管理コンピュータ６において、前述のように客席番号２６；空席、客席番号２７；客種２、客席番号２８、２９；客種３、客席番号３０；客種１、客席番号２７〜３０；同一グループを示すデータを受信した場合には、前記在席状況ＤＢの客席番号２６に対応する各項目を未登録（空席）とし、客席番号２７〜３０に対応する着席時刻をＲＴＣ１７より出力された現在時刻に、経過時間を０分に、グループＩＤを新たに生成したグループＩＤ（同一グループの先頭客席番号（２７）並びに最終客席番号（３０）からなるグループＩＤ；２７．３０）に、客種を該当する客種符号（客席番号２７；客種２、２８；客種３、２９；客種３、３０；客種１）に、予想滞席時間を該当する客種に基づき予め設定された滞席時間（客席番号２７；４０分、２８；５０分、２９；５０分、３０；３０分）に、残滞席時間を予想滞席時間に、グループ別残滞席時間を同一グループで最も長い残滞席時間である５０分に、また１つの領域内のグループ別滞席時間で最も長い残滞席時間を領域別残滞席時間として、各々更新する。また、これら在席状況テーブルの更新に基づき、客席状況表示ウィンドウ４１に表示されている在席状況が、最新の在席状況に更新されるようになっている。
【００７２】
このように、前記入力端末２０には店内の客席状況をレイアウト表示し、前記入力ペン３２により表示装置２０上で入力可能な透明タッチパネル２３を有することで、透明タッチパネル２３上で客席のレイアウトを確認しながら入力操作を行うことができ、上記の入力操作の操作性を大幅に向上できることから好ましいが本発明はこれに限定されるものではない。
【００７３】
以上説明したように本実施例の待ち時間表示システムにおいては、各飲食グループに属する飲食客の着席してからの経過時間と予め定められた予想滞席時間とから算出された各客席４毎のグループ別残滞席時間と、新たな飲食グループに属する飲食客の人数と、に基づき、該人数が集団にて着席可能となる各客席番号の組み合わせにおいて、その組み合わせに属する各客席番号のグループ別残滞席時間の中で最も長いものをその組み合わせの待ち時間（組み合わせ別残滞席時間）とするとともに、各領域内におけるグループ別残滞席時間の中で最も長いものを領域別残滞席時間として表示することで、どの領域が最も早く全客席が空席となって飲食物の供給を停止することができるようになるかを容易に判断することができる。
【００７４】
また、前記残滞席時間（グループ別残滞席時間）の算出は、飲食客の客種、例えば性別や子供等の種別の違いによって所定の滞席時間が、前記記憶装置１５の在籍状況テーブルに個別に記憶されており、この記憶されている所定の滞席時間を用いて予想残滞席時間が算出されるようになっており、これにより残滞席時間をより正確なものとすることができ、結果として表示される領域の空き時間の正確性を向上することができることから好ましいが、本発明はこれに限定されるものではない。
【００７５】
以上、本発明を図面により説明してきたが、本発明はこれら実施例に限られるものではなく、本発明の要旨を逸脱しない範囲における変更や追加があっても本発明に含まれることは言うまでもない。
【００７６】
例えば、前記実施例では、送信手段として無線による非接触通信を用いており、このようにすることは、入力端末２０を客席４の各位置まで持参してその場にて入力を行うことが可能となり、客席番号等を間違えて入力してしまうことを低減できるようになることから好ましいが、本発明はこれに限定されるものではなく、これら通信方式を赤外線による非接触方式としたり、入力を行う入力端末を複数として各入力端末を飲食カウンタの適宜な位置に分散して配置し、各入力端末と前記客席管理コンピュータ６とを有線通信にて接続するようにしても良い。
【００７７】
また、前記実施例においては、待ち時間の算出や表示等を客席管理コンピュータ６にて実施しているが本発明はこれに限定されるものではなく、例えばＰＯＳ端末等にて行いようにしても良い。
【００７８】
また、前記実施例においては、回転寿司店舗を例に説明したが、これら回転寿司店舗の場合には、循環型搬送路２により見通しが遮られて、各客席４の状況等が一般の店舗に比較して把握しづらく、本発明の効果をより得やすいことから好ましいが、本発明はこれに限定されるものではなく、提供される飲食物等はこれら寿司に限定されるものではない。
【００７９】
また、前記実施例ではバイパス路７０ａ〜７０ｆは、所定の領域の閉鎖指示をした後に手動にてガイド部材７３ａ、７３ｂを循環型搬送路２、２を横切るように操作して、所定の領域を閉鎖するようになっているが、本発明はこれに限定されるものではなく、前記各領域の閉鎖時にわざわざ店員がガイド部材７３ａ、７３ｂを操作せずとも閉鎖指示領域の閉鎖を実施できるようにするために、バイパス路７０ａ〜７０ｆ内に電波を受信可能なアンテナを設け、前記領域閉鎖ボタン５１ａ〜５１ｄが入力されると、領域閉鎖指示信号が、前記無線ＬＡＮターミナル１９から閉鎖される領域に対応するバイパス路７０ａ〜７０ｆへ送信され、領域閉鎖ボタン５１ａ〜５１ｄの入力に連動して閉鎖指示領域の残滞席時間が終了した後に自動的にガイド部材７３ａ、７３ｂが回動し、所定領域を自動閉鎖するようにしても良い。
【００８０】
【発明の効果】
本発明は以下の効果を奏する。
（ａ）請求項１項の発明によれば、前記表示手段に各所定領域に属する全ての客席が空席となるまでのおおよその時間が表示されるようになるため、どの所定領域が一番早くに全客席が空席となって飲食物の供給を停止することができるようになるかを容易に判断できるようになる。
【００８１】
（ｂ）請求項２項の発明によれば、最も短い空き時間の所定領域を迅速に把握することができる。
【００８２】
（ｃ）請求項３項の発明によれば、飲食店舗にて優先的に閉鎖をしたい所定領域の空き時間がその他の所定領域に対して相対的に短い時間となるため、該所定領域が優先的に閉鎖されるようになる。
【００８３】
（ｄ）請求項４項の発明によれば、飲食客の種別、例えば性別や子供等の種別の違いによって前記所定滞席時間を個別に設定することが可能となり、前記残滞席時間を実際のものにより近いものとすることができ、結果的に表示される空き時間の正確性を向上することができる。
【００８４】
（ｅ）請求項５項の発明によれば、飲食客を客席に案内する店員等が、前記入力端末を携行して客席にて前記入力を実施することができ、入力間違い等を大幅に低減できる。
【００８５】
（ｆ）請求項６項の発明によれば、入力端末の操作者は、タッチパネル上において客席のレイアウト表示を確認しながら入力操作を実施できるようになり、これら入力操作の操作性を大幅に向上できる。
【００８６】
（ｇ）請求項７項の発明によれば、前記各所定領域への飲食物の供給の実施／非実施を任意に行うことができる。
【図面の簡単な説明】
【図１】本実施例の待ち時間表示システムが適用された回転寿司店の店内状況を示す図である。
【図２】本実施例の待ち時間表示システムを構成する入力端末の外観斜視図である。
【図３】前記入力端末の構成を示すブロック図である。
【図４】本実施例の待ち時間表示システムを構成する客席管理コンピュータの構成を示すブロック図である。
【図５】（ａ）は前記回転寿司店における客席の配置状況を示す図であり、（ｂ）は前記客席管理コンピュータに記憶された在席状況ＤＢにおける在席状況テーブルの登録状況を示す図であり、（ｃ）は在席状況ＤＢにおける未着席客テーブルの登録状況を示す図である。
【図６】（ａ）〜（ｄ）は、前記客席管理コンピュータのディスプレイに表示された空き時間表示画面を示す図である。
【図７】前記客席管理コンピュータのディスプレイに表示された空き時間表示画面における入力状況を示す図である。
【図８】前記客席管理コンピュータのディスプレイに表示された空き時間表示画面におけるグループ別の残滞席時間を示す図である。
【図９】（ａ）〜（ｃ）は、前記客席管理コンピュータにおける待ち時間の算出方法を示す図である。
【図１０】前記入力端末にてデータを入力する際における表示画面の表示状況を示す図である。
【図１１】前記入力端末にてデータを入力する際における表示画面の表示状況を示す図である。
【図１２】前記入力端末にてデータを入力する際における表示画面の表示状況を示す図である。
【図１３】前記入力端末にてデータを入力する際における表示画面の表示状況を示す図である。
【図１４】前記入力端末にてデータを入力する際における表示画面の表示状況を示す図である。
【図１５】本実施例において用いたバイパス路の上面図である。
【図１６】図１５のＡ−Ａ断面図である。
【符号の説明】
１              飲食カウンタ
２              循環型搬送路
３              寿司皿（飲食物容器）
４              客席
６              客席管理コンピュータ
７              ディスプレイ（表示手段）
９              キーボード（入力手段）
１０            データバス
１１            中央演算処理装置（ＣＰＵ）（残滞席時間算出手段、空き時間決定手段）
１２            ＲＡＭ
１３            通信インターフェイス
１４            表示インターフェイス
１５            記憶装置（記憶手段）
１６            入力インターフェイス
１７            ＲＴＣ（リアルタイムクロック）（時計手段）
１９            無線ＬＡＮターミナル（受信手段）
２０            入力端末（入力手段）
２１            ＬＣＤパネル（表示装置）
２２            ＬＣＤドライバ
２３            透明タッチパネル（タッチパネル）
２４            タッチパネルドライバ
２５            メインスイッチ
２６            給電回路部
２７            電池
２８            記憶部
２９            制御マイコン（ＭＰＵ）
３０            無線通信モジュール（送信手段）
３１            アンテナ
３２            入力ペン
４０            待ち時間表示画面
４１            客席状況表示ウィンドウ
４２            人数入力部
４３            待ち時間算出ボタン
４４            待ち時間表示部
４５            予定客席表示部
４６            客名入力部
４７            登録ボタン
４８            未着席客表示ウィンドウ
４９            更新ボタン
５０            削除ボタン
５１ａ〜５１ｄ  領域閉鎖ボタン（設定手段）
６０            入力画面
６１            表示切替ボタン
６２            送信ボタン
６３            グループ指定ボタン
６４            空席ボタン
６５            客種選択部
６５ａ          客種選択ボタン（客種１）
６５ｂ          客種選択ボタン（客種２）
６５ｃ          客種選択ボタン（客種３）
６５ｄ          客種選択ボタン（客種４）
６６            キャンセルボタン
７０ａ〜７０ｆ  バイパス路（飲食物供給制御手段）
７２            進路変更部材
７３ａ、７３ｂ  ガイド部材
７４            保持枠
７５            進路変更ユニット枠
７５ａ          案内部
７５ｂ          リブ
７６ａ  ７６ｂ  枢軸
７７            保持軸
７８            ネジ
７９            案内枠
８０            フレーム
８０ａ          案内部
８０ｂ          リブ
Ｂ              基台
Ｆ１、Ｆ２      内枠
Ｇ              歯車群
Ｍ              モータ
Ｒ              ローラ
【図１】
0004128782.tif 000002
【図２】
0004128782.tif 000003
【図３】
0004128782.tif 000004
【図４】
0004128782.tif 000005
【図５】
0004128782.tif 000006
【図６】
0004128782.tif 000007
【図７】
0004128782.tif 000008
【図８】
0004128782.tif 000009
【図９】
0004128782.tif 000010
【図１０】
0004128782.tif 000011
【図１１】
0004128782.tif 000012
【図１２】
0004128782.tif 000013
【図１３】
0004128782.tif 000014
【図１４】
0004128782.tif 000015
【図１５】
0004128782.tif 000016
【図１６】
0004128782.tif 000017